(57)【要約】  【課題】ＨＤＤなどの大容量記憶装置に記憶された数多くの楽曲の中から、操作の煩わしさ無しにユーザーの所望する楽曲を選択し、再生するための音楽再生装置を提供すること。  【解決手段】ＨＤＤ２５に楽曲に関する情報と対応づけて記憶された複数の楽曲の中からユーザーの所望する楽曲を選択し、再生するための音楽再生装置において、入力手段から得られるユーザーの意思情報に基づいて、楽曲を選択するための選択条件Ｘを設定する手段と、選択条件Ｘ、及び楽曲に関する情報に基づいて、ＨＤＤ２５に記憶された楽曲の中から選択条件Ｘを満たす楽曲を選択する手段と、選曲数が所定曲数以下である場合、選択された楽曲を再生する手段とを装備する。  【選択図】  図１ 
2005135519.tif 000002
【特許請求の範囲】
【請求項１】
記憶手段に、楽曲に関する情報と対応づけて記憶された複数の楽曲の中からユーザーの
所望する楽曲を選択し、再生するための音楽再生装置において、
入力手段から得られるユーザーの意思情報に基づいて、楽曲を選択するための第１の選
択条件を設定する第１の選択条件設定手段と、
該第１の選択条件設定手段により設定された前記第１の選択条件、及び楽曲に関する情
報に基づいて、前記記憶手段に記憶された楽曲の中から前記第１の選択条件を満たす楽曲
を選択する第１の楽曲選択手段と、
該第１の楽曲選択手段により選択された楽曲の量が第１の所定範囲内であるか否かを判
断する第１の楽曲量判断手段と、
該第１の楽曲量判断手段により、選択された楽曲の量が前記第１の所定範囲内であると
判断された場合、前記第１の楽曲選択手段により選択された楽曲を第１の所定再生条件に
基づいて再生する第１の楽曲再生手段とを備えていることを特徴とする音楽再生装置。
【請求項２】
前記第１の所定再生条件に、ユーザーの嗜好度、楽曲の新しさ、及び楽曲の人気度のい
ずれかが含まれていることを特徴とする請求項１記載の音楽再生装置。
【請求項３】
前記第１の楽曲量判断手段により、選択された楽曲の量が前記第１の所定範囲内でない
と判断された場合、前記意思情報とは別の意思情報の入力をユーザーへ要求する第１の要
求手段と、
該第１の要求手段による要求に応じて、前記入力手段から得られるユーザーの意思情報
に基づいて、楽曲を選択するための新たな別の選択条件を設定する第２の選択条件設定手
段と、
該第２の選択条件設定手段により設定された前記別の選択条件、前記第１の選択条件、
及び楽曲に関する情報に基づいて、前記記憶手段に記憶された楽曲の中から楽曲を選択す
る第２の楽曲選択手段と、
該第２の楽曲選択手段により選択された楽曲の量が第２の所定範囲内であるか否かを判
断する第２の楽曲量判断手段と、
該第２の楽曲量判断手段により、選択された楽曲の量が前記第２の所定範囲内であると
判断された場合、前記第２の楽曲選択手段により選択された楽曲を第２の所定再生条件に
基づいて再生する第２の楽曲再生手段とを備えていることを特徴とする請求項１又は請求
項２記載の音楽再生装置。
【請求項４】
前記第１の要求手段が、前記第２の楽曲量判断手段により前記楽曲の量が前記第２の所
定範囲内でないと判断された場合、前記意思情報とは別の意思情報の入力を要求する機能
を有していることを特徴とする請求項３記載の音楽再生装置。
【請求項５】
前記第１又は前記第２の楽曲量判断手段により、選択された楽曲の量が前記第１又は前
記第２の所定範囲内でないと判断された場合、
前記第１の要求手段が、その旨をユーザーへ知らせる告知機能を有していることを特徴
とする請求項３又は請求項４記載の音楽再生装置。
【請求項６】
前記第１又は前記第２の楽曲量判断手段により、選択された楽曲の量が前記第１又は前
記第２の所定範囲内でないと判断された場合、
前記第１の要求手段が、前記第１の選択条件設定手段により設定された前記第１の選択
条件、及び前記第２の選択条件設定手段により設定された前記別の選択条件以外の別の選
択条件をユーザーへ提示する機能を有していることを特徴とする請求項３〜５のいずれか
の項に記載の音楽再生装置。
【請求項７】
前記第１の要求手段の要求に対する応答の有無を判断する応答有無判断手段と、
該応答有無判断手段により、前記要求に対する応答が無いと判断された場合、前記第１
又は前記第２の楽曲選択手段により選択された楽曲を、第３の所定再生条件に基づいて再
生する第３の楽曲再生手段とを備えていることを特徴とする請求項３〜６のいずれかの項
に記載の音楽再生装置。
【請求項８】
前記第１の要求手段が、所定の環境条件に応じた形態で、ユーザーへの要求を行うもの
であることを特徴とする請求項３〜７のいずれかの項に記載の音楽再生装置。
【請求項９】
前記第１又は前記第２の楽曲量判断手段により、選択された楽曲の量が前記第１又は前
記第２の所定範囲内を超えていると判断され、前記第２の選択条件設定手段により新たな
別の選択条件が設定された場合、
前記第２の楽曲選択手段は、前記記憶手段に記憶された楽曲の中から、前記第１の選択
条件、及び前記第２の選択条件設定手段により設定された選択条件の全ての条件を満たす
楽曲を選択するものであることを特徴とする請求項３〜８のいずれかの項に記載の音楽再
生装置。
【請求項１０】
前記第１又は前記第２の楽曲量判断手段により、選択された楽曲の量が前記第１又は前
記第２の所定範囲内に達していないと判断され、前記第２の選択条件設定手段により新た
な別の選択条件が設定された場合、
前記第２の楽曲選択手段は、前記記憶手段に記憶された楽曲の中から、前記第１の選択
条件、及び前記第２の選択条件設定手段により設定された選択条件のうちの１つ又は２つ
以上の条件を満たす楽曲を選択するものであることを特徴とする請求項３〜９のいずれか
の項に記載の音楽再生装置。
【請求項１１】
前記第１の所定範囲内、及び／又は前記第２の所定範囲内が、所定の曲数の範囲内、又
は所定の総演奏時間の範囲内であることを特徴とする請求項１〜１０のいずれかの項に記
載の音楽再生装置。
【請求項１２】
前記第１の所定範囲内、及び／又は前記第２の所定範囲内を、所定の範囲内設定条件に
基づいて設定する所定範囲内設定手段を備え、
前記所定の範囲内設定条件に、日付、曜日、時刻、時間帯、気象、及び目的地のいずれ
かが含まれていることを特徴とする請求項１〜１１のいずれかの項に記載の音楽再生装置
。
【請求項１３】
記憶手段に、楽曲に関する情報と対応づけて記憶された複数の楽曲の中からユーザーの
所望する楽曲を選択し、再生するための音楽再生装置において、
楽曲を選択するための選択条件をユーザーへ提示する選択条件提示手段と、
該選択条件提示手段による提示に対する、入力手段から得られるユーザーの意思情報に
基づいて、前記選択条件提示手段により提示された選択条件がユーザーによって支持され
たか否かを判断する支持有無判断手段と、
該支持有無判断手段により、前記選択条件がユーザーによって支持されたと判断すれば
、前記記憶手段に記憶された楽曲の中からユーザーによって支持された選択条件を満たす
楽曲を選択する第３の楽曲選択手段と、
該第３の楽曲選択手段により選択された楽曲を第４の所定再生条件に基づいて再生する
第４の楽曲再生手段とを備えていることを特徴とする音楽再生装置。
【請求項１４】
音楽再生開始条件が成立しているか否かを判断する開始条件成立判断手段を備え、
該開始条件成立判断手段により、前記音楽再生開始条件が成立していると判断された場
合、
前記選択条件提示手段が、楽曲を選択するための選択条件をユーザーへ提示するもので
あることを特徴とする請求項１３記載の音楽再生装置。
【請求項１５】
前記音楽再生開始条件が、目的地が設定されることであり、
前記選択条件提示条件が、前記選択条件をユーザーへ提示する前に、設定された目的地
到着に要する時間を示した情報をユーザーへ提供する機能を含んでいることを特徴とする
請求項１４記載の音楽再生装置。
【請求項１６】
前記支持正否判断手段により、前記選択条件がユーザーによって支持されなかったと判
断すれば、ユーザーの意思情報の入力をユーザーへ要求する第２の要求手段と、
該第２の要求手段による要求に応じて、入力手段から得られるユーザーの意思情報に基
づいて、第２の選択条件を設定する第３の選択条件設定手段と、
前記第２の選択条件、及び楽曲に関する情報に基づいて、前記記憶手段に記憶された楽
曲の中から楽曲を選択する第４の楽曲選択手段と、
該第４の楽曲選択手段により選択された楽曲を第５の所定再生条件に基づいて再生する
第５の楽曲再生手段とを備えていることを特徴とする請求項１３〜１５のいずれかの項に
記載の音楽再生装置。
【請求項１７】
前記選択条件提示手段が、所定の環境条件に応じた形態で、ユーザーへの選択条件の提
示を行うものであることを特徴とする請求項１３〜１６のいずれかの項に記載の音楽再生
装置。
【発明の詳細な説明】
【技術分野】
【０００１】
本発明は音楽再生装置に関し、より詳細には、ＨＤＤ（Hard Disk Drive ）などの大容
量記憶装置に記憶された数多くの楽曲の中からユーザーの所望する楽曲を選択し、再生す
るための音楽再生装置に関する。
【背景技術】
【０００２】
車室内で聴く音楽は、ドライバーが快適に運転するためや、ドライブを楽しいものとす
るためにも、ドライバーや乗員の聴きたいもの、好きなものとすることが好ましい。そこ
で、ドライバーの嗜好に合致した音楽を提供するオーディオ装置などが提案されている。
例えば、下記の特許文献１には、ドライバーの嗜好を過去の聴いた実績に基づいて分析し
、その分析結果に基づいて、前記ドライバーの嗜好に合った音楽を選曲し、選曲した音楽
を前記ドライバーに提供するオーディオ装置について開示されている。
【０００３】
しかしながら、精度の高い嗜好の分析は非常に難しく、ドライバーの聴きたいものが正
しく選曲されないケースが多くなる可能性が高い。また、ドライバーの嗜好に合った音楽
を選曲する場合には、毎回同じ音楽が選択される可能性が高く、聴き飽きた音楽ばかりが
提供される可能性も高い。
【０００４】
また、聴きたい音楽というのはその時々の気分などで変化するものであり、今日は聴き
たいと思っていた曲が、明日には聴きたくなくなったり、その逆に、今日は聴きたくない
と思っていた曲が、明日には聴きたくなる場合もある。従って、聴きたい音楽というのは
ユーザーのその時々の気分などで選択されるのが好ましいと言える。
【０００５】
しかしながら、楽曲の選択をユーザーが全て行わなければならないのでは、操作が煩わ
しくなる。特に、最近ではＨＤＤなどの大容量記憶装置が普及し、数多くの楽曲（例えば
、１０００曲）に関するデータを記憶させておくことができるようになっているが、１０
００曲もの楽曲の中から所望の楽曲を選択するのは決して容易なことではない。
【０００６】
例えば、最近ではＨＤＤ１に、図８に示したように、ＣＤ２−１〜２−ｎに収録されて
いる楽曲そのもののデータ（以降、楽曲データと記す）及びＴＯＣ（Table Of Contents 
）情報（例えば、楽曲数や総演奏時間）が記憶され、さらにはＣＤに関する情報（例えば
、タイトル名や収録されている楽曲数、収録されている楽曲の総演奏時間、歌手名、各楽
曲の曲名・演奏時間）が記憶されている。
【０００７】
楽曲データやＴＯＣ情報については、ＣＤ２−１〜２−ｎからデータを読み出してＨＤ
Ｄ１に記憶させれば良く、ＣＤに関する情報については、これら情報を提供する機関３が
あるため、機関３から提供される情報を取得してＨＤＤ１に記憶させれば良い。なお、機
関３から提供されたＣＤに関する情報が、ＨＤＤ１に記憶されているどの楽曲データに対
応したものであるのかは、収録されている楽曲数と総演奏時間から判断することができ、
例えば、第１番目に記憶されている、タイトル名が「大発明」であるＣＤ（楽曲数１６曲
、総演奏時間５１分１２秒）に関する情報は、第２番目に記憶されている楽曲データ（Ｃ
Ｄ２−２に収録されていた楽曲データ）に対応したものであると判断することができる。
【特許文献１】特開２００２−１１４１０７号公報
【発明の開示】
【課題を解決するための手段及びその効果】
【０００８】
本発明は上記課題に鑑みなされたものであって、ＨＤＤなどの大容量記憶装置に記憶さ
れた数多くの楽曲の中から、操作の煩わしさ無しにユーザーの所望する楽曲を選択し、再
生するための音楽再生装置を提供することを目的としている。
【０００９】
上記目的を達成するために本発明に係る音楽再生装置（１）は、記憶手段に、楽曲に関
する情報と対応づけて記憶された複数の楽曲の中からユーザーの所望する楽曲を選択し、
再生するための音楽再生装置において、入力手段から得られるユーザーの意思情報に基づ
いて、楽曲を選択するための第１の選択条件を設定する第１の選択条件設定手段と、該第
１の選択条件設定手段により設定された前記第１の選択条件、及び楽曲に関する情報に基
づいて、前記記憶手段に記憶された楽曲の中から前記第１の選択条件を満たす楽曲を選択
する第１の楽曲選択手段と、該第１の楽曲選択手段により選択された楽曲の量が第１の所
定範囲内であるか否かを判断する第１の楽曲量判断手段と、該第１の楽曲量判断手段によ
り、選択された楽曲の量が前記第１の所定範囲内であると判断された場合、前記第１の楽
曲選択手段により選択された楽曲を第１の所定再生条件に基づいて再生する第１の楽曲再
生手段とを備えていることを特徴としている。
【００１０】
上記音楽再生装置（１）によれば、ユーザーの意思情報（例えば、「浜崎あゆみの曲が
聴きたい」）に基づいて設定された前記第１の選択条件（例えば、浜崎あゆみが歌ってい
る楽曲）、及び楽曲に関する情報（例えば、その楽曲が収録されていたＣＤのタイトル名
、歌手名、曲名、演奏時間）に基づいて、前記記憶手段に記憶された楽曲の中から前記第
１の選択条件を満たす楽曲（例えば、浜崎あゆみが歌っている楽曲）が選択される。また
、選択された楽曲の量（例えば、曲数）が前記第１の所定範囲内（例えば、１０曲以内）
であると判断された場合、選択された楽曲が前記第１の所定再生条件（例えば、曲の新し
さ）に基づいて再生される（例えば、新しくリリースされた楽曲から順番に再生される）
。従って、ユーザーは何らかの意思表示をすることによって、所望する楽曲が選択され、
再生されるので、煩わしい操作をすること無く、所望する楽曲を聴くことができる。
【００１１】
また、上記音楽再生装置（１）によれば、選択された楽曲の量が前記第１の所定範囲内
まで絞り込まれた場合に限り、楽曲が再生されるようになっているので、絞り込みが不十
分で、例えば、５０曲以上の楽曲が選択されて、ユーザーの所望する楽曲がドライブ中に
再生されないといった事態が生じるのを防止することができる。
【００１２】
また、本発明に係る音楽再生装置（２）は、上記音楽再生装置（１）において、前記第
１の所定再生条件に、ユーザーの嗜好度、楽曲の新しさ、及び楽曲の人気度のいずれかが
含まれていることを特徴としている。
【００１３】
上記音楽再生装置（２）によれば、前記第１の所定再生条件に、ユーザーの嗜好度（例
えば、楽曲を聴いた回数や、楽曲を繰り返し聴いている度合から得られる数量的なもの）
、楽曲の新しさ（リリースされた年月日から算出可能）、及び楽曲の人気度（ある機関で
発表されるランキングチャートの情報から得られる）のいずれかが含まれているので、ユ
ーザーが最近頻繁に聴いている楽曲を優先的に再生したり、新しい楽曲を優先的に再生し
たり、現在人気の高い楽曲を優先的に再生することができる。これは、選択された楽曲が
全て再生されなかった場合に特に有用となる。
【００１４】
また、本発明に係る音楽再生装置（３）は、上記音楽再生装置（１）又は（２）におい
て、前記第１の楽曲量判断手段により、選択された楽曲の量が前記第１の所定範囲内でな
いと判断された場合、前記意思情報とは別の意思情報の入力をユーザーへ要求する第１の
要求手段と、該第１の要求手段による要求に応じて、前記入力手段から得られるユーザー
の意思情報に基づいて、楽曲を選択するための新たな別の選択条件を設定する第２の選択
条件設定手段と、該第２の選択条件設定手段により設定された前記別の選択条件、前記第
１の選択条件、及び楽曲に関する情報に基づいて、前記記憶手段に記憶された楽曲の中か
ら楽曲を選択する第２の楽曲選択手段と、該第２の楽曲選択手段により選択された楽曲の
量が第２の所定範囲内であるか否かを判断する第２の楽曲量判断手段と、該第２の楽曲量
判断手段により、選択された楽曲の量が前記第２の所定範囲内であると判断された場合、
前記第２の楽曲選択手段により選択された楽曲を第２の所定再生条件に基づいて再生する
第２の楽曲再生手段とを備えていることを特徴としている。
【００１５】
上記音楽再生装置（３）によれば、選択された楽曲の量が前記第１の所定範囲内でない
（例えば、選択された楽曲の数が１０曲以内）でないと判断された場合、別の意思情報の
入力がユーザーへ要求され、新たに入力されたユーザーの別の意思情報（例えば、「乗り
の良い曲が聴きたい」）に基づいて設定された前記別の選択条件（例えば、乗りの良い楽
曲）、前記第１の選択条件（例えば、浜崎あゆみが歌っている楽曲）、及び楽曲に関する
情報に基づいて、前記記憶手段に記憶された楽曲の中から、ユーザーの所望する楽曲が選
択される。例えば、前記記憶手段に記憶された楽曲の中から、前記別の選択条件、及び前
記第１の選択条件を満たす楽曲（例えば、浜崎あゆみが歌っている乗りの良い楽曲）が選
択される。
【００１６】
また、選択された楽曲の量（例えば、曲数）が前記第２の所定範囲内（例えば、１０曲
以内）であると判断された場合、選択された楽曲が前記第２の所定再生条件（例えば、曲
の新しさ）に基づいて再生される（例えば、新しい曲から順番に再生される）。このよう
に、最初の意思表示だけでは、楽曲の絞り込みが十分でなかった場合には、２度目の意思
表示を行う機会が与えられ、更なる絞り込みが可能となっている。これにより、ユーザー
の所望する楽曲の絞り込みをより適切に行うことができる。
【００１７】
また、本発明に係る音楽再生装置（４）は、上記音楽再生装置（３）において、前記第
１の要求手段が、前記第２の楽曲量判断手段により前記楽曲の量が前記第２の所定範囲内
でないと判断された場合、前記意思情報とは別の意思情報の入力を要求する機能を有して
いることを特徴としている。
【００１８】
前記第２の楽曲量判断手段により前記楽曲の量が前記第２の所定範囲内でないと判断さ
れる場合というのは、例えば、前記記憶手段に記憶された楽曲の中から、前記別の選択条
件、及び前記第１の選択条件を満たす楽曲（例えば、浜崎あゆみが歌っている乗りの良い
楽曲）を選択しても、選択される楽曲の数が１０曲を超える場合である。
【００１９】
上記音楽再生装置（４）によれば、例えば、前記記憶手段に記憶された楽曲の中から、
前記別の選択条件、及び前記第１の選択条件を満たす楽曲の量が、前記第２の所定範囲内
でないと判断された場合、更なる別の意思情報の入力が要求され、新たに入力されたユー
ザーの別の意思情報（例えば、「夏の曲が聴きたい」）に基づいて設定された新たな別の
選択条件（例えば、イメージが夏の楽曲）、及び設定済の選択条件（例えば、浜崎あゆみ
の歌っている乗りの良い楽曲）を満たす楽曲（例えば、浜崎あゆみの歌っている乗りの良
い夏をイメージした楽曲）が選択される。
このように、楽曲の絞り込みが十分でなかった場合には、繰り返し意思表示を行う機会
が与えられ、更なる絞り込みが可能となっている。これにより、ユーザーの所望する楽曲
の絞り込みをより一層適切に行うことができる。
【００２０】
また、本発明に係る音楽再生装置（５）は、上記音楽再生装置（３）又は（４）におい
て、前記第１又は前記第２の楽曲量判断手段により、選択された楽曲の量が前記第１又は
前記第２の所定範囲内でないと判断された場合、前記第１の要求手段が、その旨をユーザ
ーへ知らせる告知機能を有していることを特徴としている。
【００２１】
前記第１又は前記第２の楽曲量判断手段により、選択された楽曲の量が前記第１又は前
記第２の所定範囲内でないと判断される場合というのは、例えば、前記記憶手段に記憶さ
れた楽曲の中から、前記第１又は前記第２の選択条件設定手段により設定された選択条件
を満たす楽曲（例えば、浜崎あゆみが歌っている楽曲）を選択しても、選択される楽曲の
数が１０曲を超え、楽曲の絞り込みが十分でない場合である。
上記音楽再生装置（５）によれば、楽曲の絞り込みが十分でないこと、また、そのため
に更なる意思表示が必要であることをユーザーへ正確に伝えることができる。
【００２２】
また、本発明に係る音楽再生装置（６）は、上記音楽再生装置（３）〜（５）のいずれ
かにおいて、前記第１又は前記第２の楽曲量判断手段により、選択された楽曲の量が前記
第１又は前記第２の所定範囲内でないと判断された場合、前記第１の要求手段が、前記第
１の選択条件設定手段により設定された前記第１の選択条件、及び前記第２の選択条件設
定手段により設定された前記別の選択条件以外の別の選択条件をユーザーへ提示する機能
を有していることを特徴としている。
【００２３】
上記音楽再生装置（６）によれば、楽曲の絞り込みが十分でない場合、前記第１の選択
条件設定手段により設定された前記第１の選択条件、及び前記第２の選択条件設定手段に
より設定された前記別の選択条件（すなわち、既に設定済の選択条件）以外の別の選択条
件がユーザーへ提示される。例えば、ユーザーにより「浜崎あゆみの曲が聴きたい」と意
思表示されても、楽曲が十分に絞り込まれなかった場合には、「静かなバラードをお聴き
になりますか？それとも、乗りの良い曲をお聴きになりますか？」と別の選択条件がユー
ザーへ提示される。これにより、ユーザーは次の意思表示がし易くなる。
【００２４】
また、本発明に係る音楽再生装置（７）は、上記音楽再生装置（３）〜（６）のいずれ
かにおいて、前記第１の要求手段の要求に対する応答の有無を判断する応答有無判断手段
と、該応答有無判断手段により、前記要求に対する応答が無いと判断された場合、前記第
１又は前記第２の楽曲選択手段により選択された楽曲を、第３の所定再生条件に基づいて
再生する第３の楽曲再生手段とを備えていることを特徴としている。
【００２５】
上記音楽再生装置（７）によれば、前記第１の要求手段の要求に対する応答が無いと判
断された場合（例えば、６秒経過しても応答が無い場合）、前記第１又は前記第２の楽曲
選択手段により選択された楽曲が、前記第３の所定再生条件（例えば、曲の新しさ）に基
づいて再生される（例えば、新しい曲から順番に再生される）。
すなわち、楽曲の絞り込みが十分に行われていなかったとしても、ユーザーからの応答
がなければ（応答しないことがユーザーの意思表示と看做し）、楽曲が再生される。これ
は、大まかな絞り込みでユーザーが十分満足する場合に特に有効となる。
【００２６】
また、本発明に係る音楽再生装置（８）は、上記音楽再生装置（３）〜（７）のいずれ
かにおいて、前記第１の要求手段が、所定の環境条件に応じた形態で、ユーザーへの要求
を行うものであることを特徴としている。
【００２７】
上記音楽再生装置（８）によれば、前記所定の環境条件（例えば、ユーザーの性別や、
時間帯）に応じた形態で、ユーザーへの要求が行われる。例えば、ユーザーが男性である
場合には、女性の声で前記要求が行われ、ユーザーが女性である場合には、男性の声で前
記要求が行われ、また、午前は男性の声で前記要求が行われ、午後は女性の声で前記要求
が行われるようにすることによって、飽きのこないものとすることができる。
【００２８】
また、本発明に係る音楽再生装置（９）は、上記音楽再生装置（３）〜（８）のいずれ
かにおいて、前記第１又は前記第２の楽曲量判断手段により、選択された楽曲の量が前記
第１又は前記第２の所定範囲内を超えていると判断され、前記第２の選択条件設定手段に
より新たな別の選択条件が設定された場合、前記第２の楽曲選択手段は、前記記憶手段に
記憶された楽曲の中から、前記第１の選択条件、及び前記第２の選択条件設定手段により
設定された選択条件の全ての条件を満たす楽曲を選択するものであることを特徴としてい
る。
【００２９】
前記第１又は前記第２の楽曲量判断手段により、選択された楽曲の量が前記第１又は前
記第２の所定範囲内を超えていると判断される場合というのは、例えば、前記記憶手段に
記憶された楽曲の中から、既に設定済の選択条件を満たす楽曲（例えば、浜崎あゆみが歌
っている楽曲）を選択しても、選択される楽曲の数が所定の曲数（例えば、１０曲）を超
え、楽曲の絞り込みが十分でない場合である。
その場合、前記第１の要求手段により、新たな別の意思情報の入力がユーザーへ要求さ
れ、新たに入力されたユーザーの別の意思情報に基づいて、前記第２の選択条件設定手段
により新たな別の選択条件が設定される。
【００３０】
上記音楽再生装置（９）によれば、例えば、前記記憶手段に記憶された楽曲の中から、
既に設定済の選択条件を満たす楽曲（例えば、浜崎あゆみが歌っている楽曲）を選択して
も、選択される楽曲の数が１０曲を超え、楽曲の絞り込みが十分でない場合、前記第１の
選択条件、及び前記第２の選択条件設定手段により設定された選択条件の全ての条件を満
たす楽曲（例えば、浜崎あゆみの歌っている乗りの良い楽曲）が選択される。これにより
、楽曲の絞り込みが十分でない場合には、更なる絞り込みが可能となる。
【００３１】
また、本発明に係る音楽再生装置（１０）は、上記音楽再生装置（３）〜（９）のいず
れかにおいて、前記第１又は前記第２の楽曲量判断手段により、選択された楽曲の量が前
記第１又は前記第２の所定範囲内に達していないと判断され、前記第２の選択条件設定手
段により新たな別の選択条件が設定された場合、前記第２の楽曲選択手段は、前記記憶手
段に記憶された楽曲の中から、前記第１の選択条件、及び前記第２の選択条件設定手段に
より設定された選択条件のうちの１つ又は２つ以上の条件を満たす楽曲を選択するもので
あることを特徴としている。
【００３２】
前記第１又は前記第２の楽曲量判断手段により、選択された楽曲の量が前記第１又は前
記第２の所定範囲内に達していないと判断される場合というのは、例えば、前記記憶手段
に記憶された楽曲の中から、既に設定済の選択条件のいずれかを満たす楽曲（例えば、浜
崎あゆみが歌っている楽曲）を選択しても、選択される楽曲の数が所定の曲数（例えば、
３曲）より少なく、楽曲が十分に選択されない場合である。
その場合、前記第１の要求手段により、新たな別の意思情報の入力がユーザーへ要求さ
れ、新たに入力されたユーザーの別の意思情報に基づいて、前記第２の選択条件設定手段
により新たな別の選択条件が設定される。
【００３３】
上記音楽再生装置（１０）によれば、例えば、前記記憶手段に記憶された楽曲の中から
、既に設定済の選択条件のいずれかを満たす楽曲（例えば、浜崎あゆみが歌っている楽曲
）を選択しても、選択される楽曲の数が３曲より少なく、楽曲が十分に選択されない場合
、前記第１の選択条件、及び前記第２の選択条件設定手段により設定された選択条件（す
なわち、新たに設定された選択条件も含む）のうちの１つ、又は２つ以上の条件を満たす
楽曲（例えば、浜崎あゆみの歌っている楽曲、又は乗りの良い楽曲）が選択される。これ
により、楽曲の選択をより適切に行うことができる。
【００３４】
また、本発明に係る音楽再生装置（１１）は、上記音楽再生装置（１）〜（１０）のい
ずれかにおいて、前記第１の所定範囲内、及び／又は前記第２の所定範囲内が、所定の曲
数の範囲内、又は所定の総演奏時間の範囲内であることを特徴としている。
【００３５】
上記音楽再生装置（１１）によれば、前記第１の所定の範囲内、及び／又は前記第２の
所定範囲内が、前記所定の曲数の範囲内（例えば、１０曲以内）、又は前記所定の総演奏
時間（例えば、５０分間）であるので、楽曲の絞り込みを適切に行うことができ、例えば
、選択された楽曲の総演奏時間が３時間以上となって、ユーザーの所望する楽曲がドライ
ブ中に再生されないといった事態が生じるのを防止することができる。
【００３６】
また、本発明に係る音楽再生装置（１２）は、上記音楽再生装置（１）〜（１１）のい
ずれかにおいて、前記第１の所定範囲内、及び／又は前記第２の所定範囲内を、所定の範
囲内設定条件に基づいて設定する所定範囲内設定手段を備え、前記所定の範囲内設定条件
に、日付、曜日、時刻、時間帯、気象、及び目的地のいずれかが含まれていることを特徴
としている。
【００３７】
上記音楽再生装置（１２）によれば、前記第１の所定範囲内、及び／又は前記第２の所
定範囲内が、日付、曜日、時刻、時間帯、気象、及び目的地のいずれかに基づいて設定さ
れる。これにより、例えば、前記第１の所定範囲内を、平日（通勤の可能性が高い）の場
合には１０曲程度に設定し、休日（遠出の可能性が高い）の場合には２０〜３０曲程度に
設定することができる。
【００３８】
また、例えば、前記第１の所定範囲内を、通勤時間帯（道路が込み合い、運転時間が長
くなる可能性が高い）には１０曲程度に設定し、それ以外の時間帯には５曲程度に設定し
たり、雨天（運転時間が長くなる可能性が高い）の場合には２０曲程度に設定し、それ以
外の場合には１０曲程度に設定することができる。また、前記第１の所定範囲内を、目的
地までの距離や到達に要する時間に応じたものとすることができ、例えば、前記第１の所
定範囲内が所定の総演奏時間の範囲内である場合、前記第１の所定範囲内を目的地までの
到達に要する時間範囲内に設定することができる。
【００３９】
また、本発明に係る音楽再生装置（１３）は、記憶手段に、楽曲に関する情報と対応づ
けて記憶された複数の楽曲の中からユーザーの所望する楽曲を選択し、再生するための音
楽再生装置において、楽曲を選択するための選択条件をユーザーへ提示する選択条件提示
手段と、該選択条件提示手段による提示に対する、入力手段から得られるユーザーの意思
情報に基づいて、前記選択条件提示手段により提示された選択条件がユーザーによって支
持されたか否かを判断する支持有無判断手段と、該支持有無判断手段により、前記選択条
件がユーザーによって支持されたと判断すれば、前記記憶手段に記憶された楽曲の中から
ユーザーによって支持された選択条件を満たす楽曲を選択する第３の楽曲選択手段と、該
第３の楽曲選択手段により選択された楽曲を第４の所定再生条件に基づいて再生する第４
の楽曲再生手段とを備えていることを特徴としている。
【００４０】
上記音楽再生装置（１３）によれば、楽曲を選択するための選択条件が提示され（例え
ば、「最近のお気に入りの曲を流しましょうか？」といった音声案内が行われる）、提示
された選択条件がユーザーによって支持された（すなわち、了解された）と判断された場
合、前記記憶手段に記憶された楽曲の中から前記選択条件を満たす楽曲が選択され（例え
ば、ユーザーが最近頻繁に聴いている楽曲が選択される）、選択された楽曲が前記第３の
所定再生条件（例えば、曲の新しさ）に基づいて再生される（例えば、新しい曲から順番
に再生される）。従って、ユーザーは支持（はい）、不支持（いいえ）といった簡単な意
志表示をすれば良いだけであるので、煩わしい操作をすることなく、所望する楽曲を聴く
ことができる。
【００４１】
また、本発明に係る音楽再生装置（１４）は、上記音楽再生装置（１３）において、音
楽再生開始条件が成立しているか否かを判断する開始条件成立判断手段を備え、該開始条
件成立判断手段により、前記音楽再生開始条件が成立していると判断された場合、前記選
択条件提示手段が、楽曲を選択するための選択条件をユーザーへ提示するものであること
を特徴としている。
【００４２】
上記音楽再生装置（１４）によれば、前記音楽再生開始条件が成立している（例えば、
イグニッションスイッチがオンされたり、オーディオ装置やナビゲーション装置がオンさ
れたり、目的地が設定された場合）と判断された場合、前記選択条件提示手段により楽曲
を選択するための選択条件がユーザーへ提示される。これにより、前記選択条件の提示が
適切なタイミングで自動的に行われるようにすることができる。
【００４３】
また、本発明に係る音楽再生装置（１５）は、上記音楽再生装置（１４）において、前
記音楽再生開始条件が、目的地が設定されることであり、前記選択条件提示条件が、前記
選択条件をユーザーへ提示する前に、設定された目的地到着に要する時間を示した情報を
ユーザーへ提供する機能を含んでいることを特徴としている。
【００４４】
上記音楽再生装置（１５）によれば、目的地が設定されると、設定された目的地到着に
要する時間を示した情報がユーザーへ提供され（例えば、目的地までは５０分ほどお時間
がかかります」といった音声案内が行われ）、その後、楽曲を選択するための選択条件が
提示される。これにより、演出効果が高められるので、運転をより快適なもの、またドラ
イブをより楽しいものにすることができる。また、前記情報を提供する際、「目的地」を
目的地の名称で案内しても良い。また、前記情報の提供前に、さらに「今日は○○○（目
的地の名称）までお出かけですね」といった挨拶を行うようにしても良い。
【００４５】
また、本発明に係る音楽再生装置（１６）は、上記音楽再生装置（１３）〜（１５）の
いずれかにおいて、前記支持正否判断手段により、前記選択条件がユーザーによって支持
されなかったと判断すれば、ユーザーの意思情報の入力をユーザーへ要求する第２の要求
手段と、該第２の要求手段による要求に応じて、入力手段から得られるユーザーの意思情
報に基づいて、第２の選択条件を設定する第３の選択条件設定手段と、前記第２の選択条
件、及び楽曲に関する情報に基づいて、前記記憶手段に記憶された楽曲の中から楽曲を選
択する第４の楽曲選択手段と、該第４の楽曲選択手段により選択された楽曲を第５の所定
再生条件に基づいて再生する第５の楽曲再生手段とを備えていることを特徴としている。
【００４６】
上記音楽再生装置（１６）によれば、提示された選択条件がユーザーによって支持され
なかったと判断された場合、ユーザーの意思情報の入力がユーザーへ要求され（例えば、
「分かりました。それでは、好きなアーティスト名、もしくはアルバムタイトル名を教え
てください」といった音声案内が行われ）、入力されたユーザーの意思情報（例えば、「
浜崎あゆみの曲が聴きたい」）に基づいて設定された第２の選択条件（例えば、浜崎あゆ
みが歌っている楽曲に限定）、及び楽曲に関する情報に基づいて、前記記憶手段に記憶さ
れた楽曲の中から、ユーザーの所望する楽曲が選択される。例えば、前記記憶手段に記憶
された楽曲の中から、前記第２の選択条件を満たす楽曲（例えば、浜崎あゆみが歌ってい
る楽曲）が選択され、選択された楽曲が前記第５の所定再生条件（例えば、曲の新しさ）
に基づいて再生される（例えば、新しい曲から順番に再生される）。これにより、提示さ
れた選択条件がユーザーの好む条件でなかったとしても、新たに入力されたユーザーの意
志情報によって、ユーザーの所望する楽曲を再生することができる。
【００４７】
また、本発明に係る音楽再生装置（１７）は、上記音楽再生装置（１３）〜（１６）の
いずれかにおいて、前記選択条件提示手段が、所定の環境条件に応じた形態で、ユーザー
への選択条件の提示を行うものであることを特徴としている。
【００４８】
上記音楽再生装置（１７）によれば、前記所定の環境条件（例えば、ユーザーの性別や
、時間帯）に応じた形態で、ユーザーへの選択条件の提示が行われる。例えば、ユーザー
が男性である場合には、女性の声で前記提示が行われ、ユーザーが女性である場合には、
男性の声で前記提示が行われ、また、午前は男性の声で前記提示が行われ、午後は女性の
声で前記提示が行われるようにすることによって、飽きのこないものとすることができる
。
【発明を実施するための最良の形態】
【００４９】
以下、本発明に係る音楽再生装置の実施の形態を図面に基づいて説明する。図１は、実
施の形態（１）に係る音楽再生装置の要部を概略的に示したブロック図である。図中１１
はナビゲーション機能を有した音楽再生装置を示しており、車両Ｍに装備されるようにな
っている。
【００５０】
音楽再生装置１１はマイコン１２と、地図データ等が記憶されたＤＶＤ−ＲＯＭ１３か
ら地図データ等を読み出すためのＤＶＤデッキ１４と、ボタンスイッチ１５ａを有したリ
モコン１５と、ボタンスイッチ１６ａ及び表示パネル１６ｂを有した表示装置１６と、音
声を電気信号に変換するマイクロフォン１７と、マイコン１２からの文字データを処理し
て合成音声データを生成する音声合成部１８と、音声合成部１８で生成された合成音声デ
ータを増幅する増幅器１９と、増幅された合成音声データを音声として出力するスピーカ
２０とを含んで構成されている。なお、文字データではない、楽曲データなどの音声デー
タについては音声合成部１８を介さずに、スピーカ２０から出力されるようになっている
。また、ＤＶＤデッキ１４はＣＤの再生も可能となっている。
【００５１】
また、表示パネル１６ｂの上下左右には複数の赤外線ＬＥＤと複数のフォトトランジス
タ（図示せず）とが対向して配置され、指が表示パネル１６ｂに触れた位置を検出するこ
とができるように構成され、検出された結果についてはマイコン１２で取得することがで
きるようになっている。
【００５２】
マイコン１２に接続されているＧＰＳ受信機２１は、アンテナ２２を介して衛星からの
ＧＰＳ信号を受信するものであり、マイコン１２はＧＰＳ信号に基づいて自車位置を割り
出すことができるようになっている。また、マイコン１２には車両Ｍの速度に関するデー
タを検出するための車速センサ２３と、車両Ｍの進行方向に関するデータを取得するため
のジャイロセンサ２４と、磁気ディスク（図示せず）で構成され、データの読み書きが可
能であり、後述する案内文データや楽曲データ、楽曲に関する情報など、各種データが記
憶されたＨＤＤ２５とが接続されている。ＨＤＤ２５はマイコン１２からの指示によって
必要なデータを読み出して、マイコン１２へ出力したり、各種データを磁気ディスクに書
き込むようになっている。なお、ここでは地図データが記憶されたＤＶＤ−ＲＯＭを採用
しているが、別の実施の形態では、ＤＶＤ−ＲＯＭではなく、その他の記憶媒体、記憶装
置を採用しても良く、例えば、地図データが記憶されたＨＤＤを採用しても良い。
【００５３】
図２は、ＨＤＤ２５に記憶されているデータの一部を示した図であり、ＨＤＤ２５には
ＣＤ２−１〜２−ｎ（図８参照）に収録されている楽曲そのもののデータ（楽曲データ）
及びＴＯＣ情報（例えば、楽曲数や総演奏時間）が記憶され、さらにはＣＤに関する情報
（例えば、タイトル名、収録されている楽曲数、収録されている楽曲の総演奏時間、歌手
名、リリースされた年月日、各楽曲の曲名・演奏時間・ジャンル・イメージ）が記憶され
ている。
【００５４】
楽曲データやＴＯＣ情報については、ＣＤ２−１〜２−ｎからデータを読み出してＨＤ
Ｄ２５に記憶させれば良く、ＣＤに関する情報については、これら情報を提供する機関が
あるため、該機関から提供される情報を取得してＨＤＤ２５に記憶させれば良い。なお、
前記機関から提供されたＣＤに関する情報が、ＨＤＤ２５に記憶されているどの楽曲デー
タに対応したものであるのかは、収録されている楽曲数と総演奏時間から判断することが
でき、例えば、第１番目に記憶されている、タイトル名が「大発明」であるＣＤ（楽曲数
１６曲、総演奏時間５１分１２秒）に関する情報は、第２番目に記憶されている楽曲デー
タ（ＣＤ２−２に収録されていた楽曲データ）に対応したものであると判断することがで
きる。
【００５５】
次に、実施の形態（１）に係る音楽再生装置１１におけるマイコン１２の行う処理動作
［１］を図３〜図７に示したフローチャートに基づいて説明する。なお、この処理動作［
１］はナビゲーション機能を使って目的地Ｇが設定されたときに行われる動作である。ま
ず、初期設定としてＨＤＤ２５から案内文データを読み出し、マイコン１２内のメモリ（
図示せず）に記憶させる（ステップＳ１）。
【００５６】
次に、設定された目的地Ｇまでの到達に要する時間Ｔを算出し（ステップＳ２）、目的
地Ｇ、及び時間Ｔを使った案内文データを作成し、作成した案内文データを音声合成部１
８へ出力することによって、スピーカ２０より音声として案内文を出力させる（ステップ
Ｓ３）。例えば、「今日は、○○○（目的地Ｇの名称）までお出かけですね。目的地まで
は○○（時間Ｔ）ほど時間がかかります」といった案内文をスピーカ２０より出力させる
。なお、このような案内文データを作成するには、目的地Ｇの名称や時間Ｔの情報の埋め
込み可能な基本となる案内文データを予め用意しておき、この案内文データにこれら情報
を埋め込むようにすれば良い。
【００５７】
次に、予め設定された選択条件Ｘ（ここでは、ユーザーの最近聴いている頻度の高い楽
曲）をユーザーへ提示する（ステップＳ３）。例えば、「到着までの間、ＢＧＭに最近の
お気に入りの曲を再生しましょうか？」といった案内文を出力させる。なお、案内文の出
力については、前述したとおり、予め案内文データを用意しておき、その案内文データを
音声合成部１８へ出力すれば良い。
【００５８】
その後、マイクロフォン１７から得られる情報に基づいて、ユーザーからの応答があっ
たか否かを判断し（ステップＳ５）、ユーザーからの応答があったと判断すれば、次に、
応答の内容が選択条件Ｘを支持するものであるか否かを判断する（ステップＳ６）。例え
ば、ユーザーより「よろしく頼む」や「はい」などの肯定文が発せられたか否かを判断す
る。
【００５９】
応答の内容が選択条件Ｘを支持するものである（すなわち、「よろしく頼む」といった
ような応答が得られた）と判断すれば、次に、「分かりました。音楽の再生を開始します
」といった音楽再生開始の案内文をスピーカ２０から出力させ、さらに続けて、「違う曲
をお聴きになりたくなったときは私（エージェント）を呼んで下さい」といった案内文を
スピーカ２０から出力させ（ステップＳ７）、ＨＤＤ２５に記憶された楽曲の中から、選
択条件Ｘを満たす楽曲（すなわち、ユーザーが最近頻繁に聴いている楽曲）を選択する（
ステップＳ８）。なお、ここでは詳しく説明しないが、再生された楽曲については、該楽
曲に対応づけて再生日時がＨＤＤ２５に記録されるようになっており、この情報からユー
ザーの楽曲を聴いている最近の状況を判断することができるようになっている。
【００６０】
次に、選択された楽曲を所定の再生条件（例えば、曲の新しさ）に基づいて再生し（例
えば、新しくリリースされた順番に再生していき）、スピーカ２０から音楽を出力させる
（ステップＳ９）。その後、選択された楽曲全ての再生が完了したか否かを判断し（ステ
ップＳ１０）、選択された楽曲全ての再生が完了したと判断すれば、次に、「しばらく演
奏を中止します。必要になったら私を呼んで下さい」といった案内文をスピーカ２０から
出力させる（ステップＳ１１）。
【００６１】
なお、ここでは前記所定の再生条件を曲の新しさに設定しているが、前記所定の再生条
件は曲の新しさに限定されるものではなく、別の実施の形態に係る音楽再生装置では、ユ
ーザーの嗜好度に設定し、ユーザーのお気に入りの順番に楽曲を再生させたり、又はラン
ダムに再生させたりするようにしても良い。
【００６２】
一方、ステップＳ１０において、選択された楽曲全ての再生はまだ完了していないと判
断すれば、次に、マイクロフォン１７から得られる情報に基づいて、ユーザーがエージェ
ントを呼んでいるか否かを判断する（ステップＳ１２）。例えば、ユーザーより「エージ
ェント」などといった音声が発せられたか否かを判断する。ユーザーがエージェントを呼
んでいると判断すれば、次に、後述するステップＳ７１（図７）へ進み、ユーザーがエー
ジェントを呼んでいないと判断すれば、そのままステップＳ９へ戻って、楽曲の再生を続
ける。
【００６３】
ステップＳ６において、ユーザーからの応答の内容が選択条件Ｘを支持するものでない
（すなわち、ユーザーにより「別にいいよ」や「いいえ」などの否定文が発せられた）と
判断すれば、次に、後述するステップＳ２１（図４）へ進んで、新たな選択条件を設定す
るためにユーザーの意思情報の入力を要求する。
【００６４】
また、ステップＳ５において、ユーザーからの応答がないと判断すれば、次に、選択条
件Ｘをユーザーへ提示してから６秒経過したか否かを判断し（ステップＳ１３）、６秒経
過していると判断すれば、ユーザーは提示された選択条件Ｘを否定していないと看做し、
ステップＳ７へ進む。
【００６５】
図４に示したステップＳ２１では、例えば、「分かりました。それでは、お好きなアー
ティストや、アルバムタイトルなどを教えて下さい」といった案内文をスピーカ２０から
出力させることによって、新たな選択条件を設定するために必要となるユーザーの意思情
報の入力を要求する。
【００６６】
その後、マイクロフォン１７から得られる情報に基づいて、ユーザーからの意思情報（
例えば、「浜崎あゆみの曲が聴きたい」）の入力があったか否かを判断し（ステップＳ２
２）、ユーザーからの意思情報の入力があったと判断すれば、次に、係数ｋを１とし（ス
テップＳ２３）、入力されたユーザーの意思情報に基づいて、楽曲を選択するための選択
条件Ｘｋ（ここでは、選択条件Ｘ１）を設定する（ステップＳ２４）。例えば、選択条件
Ｘ１を「浜崎あゆみが歌っている楽曲」に設定する。
【００６７】
次に、選択条件Ｘ１、及び楽曲に関する情報に基づいて、ＨＤＤ２５に記憶された楽曲
の中から、選択条件Ｘ１を満たす楽曲（例えば、浜崎あゆみが歌っている楽曲）を選択し
（ステップＳ２５）、その選曲後、選曲数Ｃが１以上であるか否か（すなわち、該当する
楽曲が存在したか否か）を判断する（ステップＳ２６）。
【００６８】
選曲数Ｃが１以上であると判断すれば、次に、目的地Ｇまでの到達に要する時間Ｔに基
づいて、目的地Ｇの到達までに聴くことが可能な最大曲数Ｃ’を求める（ステップＳ２７
）。例えば、１曲当たりの演奏時間を５分と仮定し、目的地Ｇまでの到達に要する時間Ｔ
が１００分である場合には、最大曲数Ｃ’を２０曲に設定する。
【００６９】
次に、選曲数Ｃが最大曲数Ｃ’以下であるか否かを判断し（ステップＳ２８）、選曲数
Ｃが最大曲数Ｃ’以下であると判断すれば、次に、選択条件Ｘ１、及び選曲数Ｃを使った
案内文データを作成し、作成した案内文データを音声合成部１８へ出力することによって
、スピーカ２０より音声として案内文を出力させる（ステップＳ２９）。例えば、「浜崎
あゆみ（歌手名）の曲は、１５（選曲数Ｃ）曲あります。新しくリリースされた順番に再
生していきます」といった案内文をスピーカ２０より出力させる。
【００７０】
次に、ステップＳ２５で選択された楽曲を所定の再生条件に基づいて再生し（ここでは
、新しくリリースされた順番に再生していき）、スピーカ２０から音楽を出力させる（ス
テップＳ３０）。その後、選択された楽曲全ての再生が完了したか否かを判断し（ステッ
プＳ３１）、選択された楽曲全ての再生が完了したと判断すれば、次に、「しばらく演奏
を中止します。必要になったら私を呼んで下さい」といった案内文をスピーカ２０から出
力させる（ステップＳ３２）。
【００７１】
なお、ここでは前記所定の再生条件を曲の新しさに設定しているが、前記所定の再生条
件は曲の新しさに限定されるものではなく、別の実施の形態に係る音楽再生装置では、ユ
ーザーの嗜好度に設定し、ユーザーのお気に入りの順番に楽曲を再生させたり、又はラン
ダムに再生させたりするようにしても良い。但し、前記所定の再生条件が曲の新しさでは
なく、別の条件に設定される場合には、ステップＳ２９での案内文を変更する。
【００７２】
一方、ステップＳ３１において、選択された楽曲全ての再生はまだ完了していないと判
断すれば、次に、マイクロフォン１７から得られる情報に基づいて、ユーザーがエージェ
ントを呼んでいるか否かを判断する（ステップＳ３３）。例えば、ユーザーより「エージ
ェント」などといった音声が発せられたか否かを判断する。ユーザーがエージェントを呼
んでいると判断すれば、次に、後述するステップＳ７１（図７）へ進み、ユーザーがエー
ジェントを呼んでいないと判断すれば、そのままステップＳ３０へ戻って、楽曲の再生を
続ける。
【００７３】
ステップＳ２８において、選曲数Ｃが最大曲数Ｃ’以下でない（すなわち、楽曲の絞り
込みが十分でない）と判断すれば、次に、後述するステップＳ４１（図５）へ進んで、さ
らに別の選択条件を設定するために必要となるユーザーの意思情報の入力を要求する。
【００７４】
また、ステップＳ２６において、選曲数Ｃが１以上でない（すなわち、該当する楽曲が
ない）と判断すれば、次に、例えば、「該当する曲が見つかりません。他のアーティスト
や、アルバムタイトルなどを教えて下さい」といった案内文をスピーカ２０から出力させ
ることによって、別の選択条件を設定するために必要となるユーザーの意思情報の入力を
要求し（ステップ３４）、その後、ステップＳ２２へ戻る。
【００７５】
また、ステップＳ２２において、ユーザーからの意思情報の入力がないと判断すれば、
次に、前記入力を要求してから６秒経過したか否かを判断し（ステップＳ３５）、６秒経
過していると判断すれば、ユーザーは選曲に関して特に希望はないと看做し、「特にご希
望がなければ、最近よくお聴きになられている曲を再生します」といった案内文を出力さ
せ、さらに続けて、「違う曲をお聴きになりたくなったときは私を呼んで下さい」といっ
た案内文をスピーカ２０から出力させ（ステップＳ３６）、その後、ステップＳ８（図３
）へ進む。
【００７６】
図５に示したステップＳ４１では、例えば、選曲数Ｃを使った、「浜崎あゆみの曲は５
０曲あり、絞り込みが必要です。乗りの良い曲などは如何でしょうか？」といった案内文
をスピーカ２０から出力させることによって、新たな選択条件を設定するために必要とな
るユーザーの意思情報の入力を要求する。
【００７７】
その後、マイクロフォン１７から得られる情報に基づいて、ユーザーからの意思情報（
例えば、「バラードが聴きたい」）の入力があったか否かを判断し（ステップＳ４２）、
ユーザーからの意思情報の入力があったと判断すれば、次に、係数ｋに１を加算し（ステ
ップＳ４３）、入力されたユーザーの意思情報に基づいて、楽曲を選択するための選択条
件Ｘｋを設定する（ステップＳ４４）。例えば、選択条件Ｘ２を「バラードの楽曲」に設
定する。
【００７８】
なお、ここでは単にユーザーの意思情報の入力を要求しているだけであるが、別の実施
の形態に係る音楽再生装置では、設定済の選択条件（例えば、浜崎あゆみが歌っている楽
曲）以外の別の選択条件をユーザーへ提示するようにしても良い。例えば、「静かなバラ
ードを聴きますか？」や、「静かなバラードをお聴きになりますか？それとも、乗りの良
い曲をお聴きになりますか？」と二者択一式に別の選択条件を提示する。これにより、ユ
ーザーの次の意思表示がし易くなる。
【００７９】
次に、選択条件Ｘ１〜選択条件Ｘｋ、及び楽曲に関する情報に基づいて、ＨＤＤ２５に
記憶された楽曲の中から、選択条件Ｘ１〜選択条件Ｘｋを満たす楽曲（例えば、浜崎あゆ
みが歌っているバラードの楽曲）を選択し（ステップＳ４５）、その選曲後、選曲数Ｃが
１以上であるか否か（すなわち、該当する楽曲が存在したか否か）を判断する（ステップ
Ｓ４６）。
【００８０】
選曲数Ｃが１以上であると判断すれば、次に、選曲数Ｃが最大曲数Ｃ’以下であるか否
かを判断し（ステップＳ４７）、選曲数Ｃが最大曲数Ｃ’以下であると判断すれば、次に
、選択条件Ｘ１〜選択条件Ｘｋ、及び選曲数Ｃを使った案内文データを作成し、作成した
案内文データを音声合成部１８へ出力することによって、スピーカ２０より音声として案
内文を出力させる（ステップＳ４８）。例えば、「浜崎あゆみ（選択条件Ｘ１）の歌って
いるバラード（選択条件Ｘ２）の曲は、６（選曲数Ｃ）曲あります。新しくリリースされ
た順番に再生していきます」といった案内文をスピーカ２０より出力させる。
【００８１】
なお、ステップＳ４７では、ステップＳ２７で設定した最大曲数Ｃ’をそのまま使用し
ているが、２回以上の選曲結果であるためその点を考慮し、別の実施の形態に係る音楽再
生装置では、ステップＳ４７では最大曲数Ｃ’をＣ’＋αにしても良い。また、車両Ｍは
移動するので、さらに別の実施の形態に係る音楽再生装置では、最大曲数Ｃ’の設定をや
り直すようにしても良い。
【００８２】
次に、ステップＳ４５で選択された楽曲を所定の再生条件に基づいて再生し（ここでは
、新しくリリースされた順番に再生していき）、スピーカ２０から音楽を出力させる（ス
テップＳ４９）。その後、選択された楽曲全ての再生が完了したか否かを判断し（ステッ
プＳ５０）、選択された楽曲全ての再生が完了したと判断すれば、次に、「しばらく演奏
を中止します。必要になったら私を呼んで下さい」といった案内文をスピーカ２０から出
力させる（ステップＳ５１）。
【００８３】
なお、ここでは前記所定の再生条件を曲の新しさに設定しているが、前記所定の再生条
件は曲の新しさに限定されるものではなく、別の実施の形態に係る音楽再生装置では、ユ
ーザーの嗜好度に設定し、ユーザーのお気に入りの順番に楽曲を再生させたり、又はラン
ダムに再生させたりするようにしても良い。但し、前記所定の再生条件が曲の新しさでは
なく、別の条件に設定される場合には、ステップＳ４８での案内文を変更する。
【００８４】
一方、ステップＳ５０において、選択された楽曲全ての再生はまだ完了していないと判
断すれば、次に、マイクロフォン１７から得られる情報に基づいて、ユーザーがエージェ
ントを呼んでいるか否かを判断する（ステップＳ５２）。例えば、ユーザーより「エージ
ェント」などといった音声が発せられたか否かを判断する。ユーザーがエージェントを呼
んでいると判断すれば、次に、後述するステップＳ７１（図７）へ進み、ユーザーがエー
ジェントを呼んでいないと判断すれば、そのままステップＳ４９へ戻って、楽曲の再生を
続ける。
【００８５】
ステップＳ４７において、選曲数Ｃが最大曲数Ｃ’以下でない（すなわち、楽曲の絞り
込みが十分でない）と判断すれば、ステップＳ４１へ戻って、さらに別の選択条件を設定
するために必要となるユーザーの意思情報の入力を要求する。
【００８６】
また、ステップＳ４６において、選曲数Ｃが１以上でない（すなわち、該当する楽曲が
ない）と判断すれば、次に、選択条件Ｘｋを考慮に入れて、例えば、「該当する曲が見つ
かりません。乗りの良い曲は如何でしょうか？」といった案内文をスピーカ２０から出力
させることによって、別の選択条件を設定するために必要となるユーザーの意思情報の入
力を要求し（ステップ５３）、係数ｋから１を減算し（ステップＳ５４）、その後、ステ
ップＳ４２へ戻る。
【００８７】
また、ステップＳ４２において、ユーザーからの意思情報の入力がないと判断すれば、
次に、前記入力を要求してから６秒経過したか否かを判断し（ステップＳ５５）、６秒経
過していると判断すれば、ユーザーは楽曲の絞り込みを装置に任せていると看做し、後述
するステップＳ６１（図６）へ進み、音楽再生の処理を行う。
【００８８】
図６に示したステップＳ６１では、選択条件Ｘ１〜選択条件Ｘｋを使った案内文データ
（係数ｋが１の場合は、選択条件Ｘ１を使った案内文データ）を作成し、作成した案内文
データを音声合成部１８へ出力することによって、スピーカ２０より音声として案内文を
出力させる。例えば、「浜崎あゆみ（選択条件Ｘ１）の歌っている曲を、新しくリリース
された順番に再生していきます」や、「浜崎あゆみ（選択条件Ｘ１）の歌っているバラー
ド（選択条件Ｘ２）を、新しくリリースされた順番に再生していきます」といった案内文
を出力させる。
【００８９】
次に、選択条件Ｘ１〜選択条件Ｘ２に基づいて選択された（すなわち、ステップＳ２５
又はステップＳ４５）で選択された楽曲を所定の再生条件に基づいて再生し（ここでは、
新しくリリースされた順番に再生していき）、スピーカ２０から音楽を出力させる（ステ
ップＳ６２）。その後、選択された楽曲全ての再生が完了したか否かを判断し（ステップ
Ｓ６３）、選択された楽曲全ての再生が完了したと判断すれば、次に、「しばらく演奏を
中止します。必要になったら私を呼んで下さい」といった案内文をスピーカ２０から出力
させる（ステップＳ６４）。
【００９０】
なお、ここでは前記所定の再生条件を曲の新しさに設定しているが、前記所定の再生条
件は曲の新しさに限定されるものではなく、別の実施の形態に係る音楽再生装置では、ユ
ーザーの嗜好度に設定し、ユーザーのお気に入りの順番に楽曲を再生させたり、又はラン
ダムに再生させたりするようにしても良い。但し、前記所定の再生条件が曲の新しさでは
なく、別の条件に設定される場合には、ステップＳ６１での案内文を変更する。
【００９１】
一方、ステップＳ６３において、選択された楽曲全ての再生はまだ完了していないと判
断すれば、次に、マイクロフォン１７から得られる情報に基づいて、ユーザーがエージェ
ントを呼んでいるか否かを判断する（ステップＳ６５）。例えば、ユーザーより「エージ
ェント」などといった音声が発せられたか否かを判断する。ユーザーがエージェントを呼
んでいると判断すれば、次に、後述するステップＳ７１（図７）へ進み、ユーザーがエー
ジェントを呼んでいないと判断すれば、そのままステップＳ６３へ戻って、楽曲の再生を
続ける。
【００９２】
図７に示したステップＳ７１では、例えば、「はい、お呼びでしょうか？それでは、お
好きなアーティストや、アルバムタイトルなどを教えて下さい」といった案内文をスピー
カ２０から出力させることによって、新しく選択条件を設定するために必要となるユーザ
ーの意思情報の入力を要求する。
【００９３】
その後、マイクロフォン１７から得られる情報に基づいて、ユーザーからの意思情報（
例えば、「浜崎あゆみの曲が聴きたい」）の入力があったか否かを判断し（ステップＳ７
２）、ユーザーからの意思情報の入力があったと判断すれば、次に、ステップＳ２３（図
４）へ進んで、楽曲を再生させるための処理動作を行う。
【００９４】
一方、ユーザーからの意思情報の入力がないと判断すれば、次に、前記入力を要求して
から６秒経過しているか否かを判断し（ステップＳ７３）、６秒経過していると判断すれ
ば、ユーザーは楽曲の再生を希望していないと看做し、「また必要になったら私を呼んで
下さい」といった案内文をスピーカ２０から出力させる（ステップＳ７４）。
【００９５】
上記実施の形態（１）に係る音楽再生装置によれば、ユーザーの意思情報（例えば、「
浜崎あゆみの曲が聴きたい」）に基づいて設定された選択条件Ｘ１（例えば、浜崎あゆみ
が歌っている楽曲）、及び楽曲に関する情報（例えば、その楽曲が収録されていたＣＤの
タイトル名、歌手名、曲名、演奏時間）に基づいて、ＨＤＤ２５に記憶された楽曲の中か
ら選択条件Ｘ１を満たす楽曲（例えば、浜崎あゆみが歌っている楽曲）が選択される。ま
た、選曲数Ｃが最大曲数Ｃ’（例えば、１０曲）を超えていると判断された場合、選択さ
れた楽曲が所定の再生条件（例えば、曲の新しさ）に基づいて再生される（例えば、新し
くリリースされた楽曲から順番に再生される）。従って、ユーザーは何らかの意思表示を
することによって、所望する楽曲が選択され、再生されるので、煩わしい操作をすること
無く、所望する楽曲を聴くことができる。
【００９６】
また、選曲数Ｃが最大曲数Ｃ’まで絞り込まれた場合に限り、楽曲が再生されるように
なっているので、絞り込みが不十分で、例えば、５０曲以上の楽曲が選択されて、ユーザ
ーの所望する楽曲がドライブ中に再生されないといった事態が生じるのを防止することが
できる。
【００９７】
また、上記実施の形態（１）に係る音楽再生装置によれば、楽曲を選択するための選択
条件が提示され（例えば、「最近のお気に入りの曲を流しましょうか？」といった音声案
内が行われる）、提示された選択条件がユーザーによって支持された（すなわち、了解さ
れた）と判断された場合、ＨＤＤ２５に記憶された楽曲の中から選択条件Ｘを満たす楽曲
が選択され（例えば、ユーザーが最近頻繁に聴いている楽曲が選択される）、選択された
楽曲が所定の再生条件（例えば、曲の新しさ）に基づいて再生される（例えば、新しい曲
から順番に再生される）。従って、ユーザーは支持（はい）、不支持（いいえ）といった
簡単な意志表示をすれば良いだけであるので、煩わしい操作をすることなく、所望する楽
曲を聴くことができる。
【００９８】
なお、上記実施の形態（１）に係る音楽再生装置では、音声で各種やり取りを行うよう
になっているが、別の実施の形態に係る音楽再生装置では、ボタン入力や画面表示を使っ
て上記やり取りを行うようにしたり、両方を組み合わせるようにしても良い。また、さら
に別の実施の形態に係る音楽再生装置では、装置からの案内等（例えば、エージェントの
音声など）を所定の環境条件（例えば、ユーザーの性別や、時間帯）に応じた形態に変更
するようにしても良い。
【００９９】
例えば、ユーザーが男性である場合には、女性の声で前記案内等を行い、ユーザーが女
性である場合には、男性の声で前記案内等を行い、また、午前は男性の声で前記案内等を
行い、午後は女性の声で前記案内等を行うようにして、飽きのこないものとすることがで
きる。なお、ユーザーの性別による前記案内等の形態の変更を実現するには、予めユーザ
ーの性別を登録させておけば良い。
【図面の簡単な説明】
【０１００】
【図１】本発明の実施の形態（１）に係る音楽再生装置の要部を概略的に示したブロック図である。
【図２】ＨＤＤに記憶されているデータの一部を示した図である。
【図３】実施の形態（１）に係る音楽再生装置におけるマイコンの行う処理動作を示したフローチャートである。
【図４】実施の形態（１）に係る音楽再生装置におけるマイコンの行う処理動作を示したフローチャートである。
【図５】実施の形態（１）に係る音楽再生装置におけるマイコンの行う処理動作を示したフローチャートである。
【図６】実施の形態（１）に係る音楽再生装置におけるマイコンの行う処理動作を示したフローチャートである。
【図７】実施の形態（１）に係る音楽再生装置におけるマイコンの行う処理動作を示したフローチャートである。
【図８】ＨＤＤに記憶されているデータの一部を示した図である。
【符号の説明】
【０１０１】
１１  音楽再生装置
１２  マイコン
１８  音声合成部
２５  ＨＤＤ
【図１】
2005135519.tif 000003
【図２】
2005135519.tif 000004
【図３】
2005135519.tif 000005
【図４】
2005135519.tif 000006
【図５】
2005135519.tif 000007
【図６】
2005135519.tif 000008
【図７】
2005135519.tif 000009
【図８】
2005135519.tif 000010